(57)【要約】【課題】  過去のプレゼンテーションの状況を示す画像をより柔軟に提供することが可能な表示装置等を提供すること。【解決手段】  表示装置の一種であるプロジェクター１００が、表示済みの画像を示す画像データが、表示済みの画像の表示時を示す表示時データと関連付けられたプレゼンテーションデータ１３２と、指示内容を示す指示情報に基づき、指示内容を反映した指示画像を生成する画像生成部１８０と、指示画像を投写する投写部１９０と、指示に応じてプレゼンテーションデータ１３２を更新する更新部１２０を含み、画像生成部１８０が、時間の経過に応じて変化する時間領域と、指示位置に応じて時間領域上を移動する再生対象時を示す指定領域を含む再生対象時指定画像を生成し、投写部１９０が、当該画像を投写する。【選択図】  図３
2011242490.tif 000002
【特許請求の範囲】
【請求項１】
表示済みの画像を示す画像データが、前記表示済みの画像の表示時を示す表示時データと関連付けられたプレゼンテーションデータと、指示内容を示す指示情報とに基づき、前記指示内容を反映した指示画像を生成する画像生成部と、
前記指示画像を表示する表示部と、
前記指示画像を示す情報に基づき、前記プレゼンテーションデータを更新する更新部と、
を含み、
前記画像生成部は、時間の経過に応じて変化する時間領域と、前記指示情報で示される指示位置に応じて前記時間領域上を移動するとともに、前記画像データの再生対象時を示す指定領域とを含む再生対象時指定画像を生成し、
前記表示部は、前記再生対象時指定画像を表示する、
表示装置。
【請求項２】
請求項１に記載の表示装置において、
前記画像生成部は、前記再生対象時指定画像における前記時間領域として、前記更新部による更新前のプレゼンテーションの再生時間に応じて大きさが変化する第１の時間領域と、前記更新部による更新後のプレゼンテーションの再生時間に応じて大きさが変化する第２の時間領域とを含む画像を生成する、
表示装置。
【請求項３】
請求項２に記載の表示装置において、
前記画像生成部は、前記第１の時間領域における更新時を示す位置から分岐する形で前記第２の時間領域を示す前記再生対象時指定画像を生成する、
表示装置。
【請求項４】
請求項１〜３のいずれかに記載の表示装置において、
前記画像生成部は、前記再生対象時からの前記表示済みの画像を生成し、
前記表示部は、当該表示済みの画像を表示する、
表示装置。
【請求項５】
請求項１〜４のいずれかに記載の表示装置において、
前記指示情報は、指示具による指示内容を示す情報である、
表示装置。
【請求項６】
請求項４に従属する請求項５に記載の表示装置において、
前記画像データは、前記指示画像の表示領域における前記指示具による書き込み内容を示すデータを含み、
前記表示時データは、前記書き込み内容の書き込み時点を示すデータを含み、
前記画像生成部は、前記再生対象時からの前記表示済みの画像の一部として、前記書き込み内容を示す画像を生成する、
表示装置。
【請求項７】
表示装置が、
表示済みの画像を示す画像データが、前記表示済みの画像の表示時を示す表示時データと関連付けられたプレゼンテーションデータと、指示内容を示す指示情報とに基づき、前記指示内容を反映した指示画像を生成し、
前記指示画像を表示し、
前記指示画像を示す情報に基づき、前記プレゼンテーションデータを更新し、
時間の経過に応じて変化する時間領域と、前記指示情報で示される指示位置に応じて前記時間領域上を移動するとともに、前記画像データの再生対象時を示す指定領域とを含む再生対象時指定画像を生成し、
前記再生対象時指定画像を表示する、
表示方法。
【発明の詳細な説明】
【技術分野】
【０００１】
本発明は、表示装置および表示方法に関する。
【背景技術】
【０００２】
例えば、特開２００３−５８９０１号公報では、会議等の様子を記録し、再現する手法が記載されている。より具体的には、当該手法は、プレゼンテーションの様子を少ないデータ量で記録し、再現するため、プレゼンテーション記録再生装置が、スライドの頁送り、スライド上のカーソルの軌跡および音声をプレゼンテーションファイルとして記録し、プレゼンテーションファイルごとにプレゼンテーションの様子を再現するものである。
【先行技術文献】
【特許文献】
【０００３】
【特許文献１】特開２００３−５８９０１号公報
【発明の概要】
【発明が解決しようとする課題】
【０００４】
しかし、特開２００３−５８９０１号公報の手法の場合、プレゼンテーションファイルごとの再現であるため、例えば、会議の途中で、ホワイトボード等への書き込みを過去の状態に戻すといったことは困難である。
【０００５】
本発明にかかるいくつかの態様は、上記課題を解決することにより、過去のプレゼンテーションの状況を示す画像をより柔軟に提供することが可能な表示装置および表示方法を提供するものである。
【課題を解決するための手段】
【０００６】
本発明の態様の１つである表示装置は、表示済みの画像を示す画像データが、前記表示済みの画像の表示時を示す表示時データと関連付けられたプレゼンテーションデータと、指示内容を示す指示情報とに基づき、前記指示内容を反映した指示画像を生成する画像生成部と、前記指示画像を表示する表示部と、前記指示画像を示す情報に基づき、前記プレゼンテーションデータを更新する更新部と、を含み、前記画像生成部は、時間の経過に応じて変化する時間領域と、前記指示情報で示される指示位置に応じて前記時間領域上を移動するとともに、前記画像データの再生対象時を示す指定領域とを含む再生対象時指定画像を生成し、前記表示部は、前記再生対象時指定画像を表示することを特徴とする。
【０００７】
また、本発明の態様の１つである表示方法は、表示装置が、表示済みの画像を示す画像データが、前記表示済みの画像の表示時を示す表示時データと関連付けられたプレゼンテーションデータと、指示内容を示す指示情報とに基づき、前記指示内容を反映した指示画像を生成し、前記指示画像を表示し、前記指示画像を示す情報に基づき、前記プレゼンテーションデータを更新し、時間の経過に応じて変化する時間画像と、前記指示具の指示位置に応じて前記時間領域上を移動する再生対象時を示す指定領域とを含む再生対象時指定画像を生成し、前記再生対象時指定画像を表示することを特徴とする。
【０００８】
本発明によれば、表示装置は、時間領域上を移動する指定領域を用いて再生対象時の指定を受け付けることにより、過去のプレゼンテーションの状況を示す画像をより柔軟に提供することができる。
【０００９】
また、前記画像生成部は、前記再生対象時指定画像における前記時間領域として、前記更新部による更新前のプレゼンテーションの再生時間に応じて大きさが変化する第１の時間領域と、前記更新部による更新後のプレゼンテーションの再生時間に応じて大きさが変化する第２の時間領域とを含む画像を生成してもよい。これによれば、表示装置は、再生時間に応じて画像の大きさを変化させることにより、ユーザーは、より簡易に再生対象時を指定することができる。
【００１０】
また、前記画像生成部は、前記第１の時間領域における更新時を示す位置から分岐する形で前記第２の時間領域を示す前記再生対象時指定画像を生成してもよい。これによれば、表示装置は、第１の時間領域における更新時を示す位置から分岐する形で第２の時間領域を示す再生対象時指定画像を表示することができるため、ユーザーは、容易に更新時を把握することができる。
【００１１】
また、前記画像生成部は、前記再生対象時からの前記表示済みの画像を生成し、前記表示部は、当該表示済みの画像を表示してもよい。これによれば、表示装置は、再生対象時からの画像を表示することができるため、過去のプレゼンテーションの状況を示す画像をより柔軟に提供することができる。
【００１２】
また、前記指示情報は、指示具による指示内容を示す情報であってもよい。これによれば、表示装置は、指示具による指示内容を反映した指示画像を、再生対象時の指定に応じて表示することができる。
【００１３】
また、前記画像データは、前記指示画像の表示領域における前記指示具による書き込み内容を示すデータを含み、前記表示時データは、前記書き込み内容の書き込み時点を示すデータを含み、前記画像生成部は、前記再生対象時からの前記表示済みの画像の一部として、前記書き込み内容を示す画像を生成してもよい。これによれば、表示装置は、指定の再生対象時における書き込み内容を表示することができる。
【図面の簡単な説明】
【００１４】
【図１】第１の実施例における投写状況の一例を示す図である。
【図２】第１の実施例におけるプロジェクターの外観図である。
【図３】第１の実施例におけるプロジェクターの機能ブロック図である。
【図４】第１の実施例におけるプロジェクターのハードウェアブロック図である。
【図５】第１の実施例における投写手順を示すフローチャートである。
【図６】第１の実施例における画像の一例を示す図である。
【図７】第１の実施例における画像の他の一例を示す図である。
【図８】第１の実施例における画像の他の一例を示す図である。
【図９】第１の実施例における画像の他の一例を示す図である。
【図１０】第１の実施例における画像の他の一例を示す図である。
【図１１】第１の実施例における画像の他の一例を示す図である。
【図１２】第１の実施例における画像の他の一例を示す図である。
【図１３】第１の実施例における画像の他の一例を示す図である。
【発明を実施するための形態】
【００１５】
以下、本発明をプロジェクターに適用した実施例について、図面を参照しつつ説明する。なお、以下に示す実施例は、特許請求の範囲に記載された発明の内容を何ら限定するものではない。また、以下の実施例に示す構成のすべてが、特許請求の範囲に記載された発明の解決手段として必須であるとは限らない。
【００１６】
（第１の実施例）
図１は、第１の実施例における投写状況の一例を示す図である。例えば、会議室において、プレゼンター４０が、発光機能を有する指示具の一種である指示棒５０を用いてプレゼンテーションを行っている。会議室にある壁１０には、金具３０によって上方に単焦点型のプロジェクター１００が取り付けられている。表示装置の一種であるプロジェクター１００は、投写対象領域の一種である壁１０に画像２０を投写している。
【００１７】
図２は、第１の実施例におけるプロジェクター１００の外観図である。図２のプロジェクター１００は、図１の設置状態が上下逆になった状態（底面が天面になった状態）を示す。プロジェクター１００の底面における壁１０に向かう斜面に投写部１９０と撮像部１１０が設けられている。これにより、表示部の一種である投写部１９０は、壁１０に画像２０を投写することができ、撮像部１１０は、壁１０に投写された画像２０を撮像することができる。
【００１８】
次に、プロジェクター１００の機能ブロックについて説明する。図３は、第１の実施例におけるプロジェクター１００の機能ブロック図である。プロジェクター１００は、撮像画像を示す撮像情報を生成する撮像部１１０と、プレゼンテーションデータ１３２等を記憶する記憶部１３０と、撮像情報に基づき、プレゼンテーションデータ１３２を更新する更新部１２０と、プレゼンテーションデータ１３２に基づき、画像２０を生成する画像生成部１８０と、画像２０を投写する投写部１９０を含んで構成されている。
【００１９】
なお、プレゼンテーションデータ１３２は、表示済みの画像を示す画像データ（例えば、色を示すデータ、輝度値を示すデータ、画像を生成するための制御命令を示すデータ等）が、当該表示済みの画像の表示時（例えば、表示日時、表示時刻、プレゼンテーション開始からの経過時間等）を示す表示時データと関連付けられたデータである。また、撮像情報は、指示内容を示す指示情報と、当該指示内容が反映された指示画像を示す情報を含む。
【００２０】
また、プロジェクター１００は、以下のハードウェアを用いてこれらの各部として機能してもよい。図４は、第１の実施例におけるプロジェクター１００のハードウェアブロック図である。例えば、プロジェクター１００は、撮像部１１０はＣＭＯＳカメラ９２０等、更新部１２０はＣＰＵ９１０等、記憶部１３０はＲＡＭ９３０等、画像生成部１８０はＣＰＵ９１０、画像処理回路９４０等、投写部１９０はランプ９８０、液晶パネル９８２、液晶駆動回路９８４、レンズ９８６等を用いてもよい。
【００２１】
次に、本実施例における画像２０の投写手順について説明する。図５は、第１の実施例における投写手順を示すフローチャートである。また、図６は、第１の実施例における画像２００の一例を示す図である。画像生成部１８０は、プレゼンテーションデータ１３２に基づき、指示に応じた画像を生成し、投写部１９０は、当該画像を投写する（ステップＳ１）。例えば、投写部１９０が投写する画像２００は、メイン画像として、指示に応じた画像を示す指示画像２１０を含み、サブ画像として、画像データの再生対象時を指定するための指定画像の表示開始を指示するための画像２３０、当該指定画像の表示終了を指示するための画像２３２、第１の端子（例えば、ＨＤＭＩ端子、ＵＳＢ端子、ＰＣ端子等）を介して入力される画像が縮小された状態の画像２４０、第２の端子（例えば、ＨＤＭＩ端子、ＵＳＢ端子、ＰＣ端子等）を介して入力される画像が縮小された状態の画像２４２を含む。
【００２２】
プレゼンター４０は、指示棒５０の先端を画像２４０に数秒間置いた後、指示棒５０の先端を指示画像２１０上に移動させることにより、移動先の指示画像２１０内の位置に画像２４０が拡大された画像２２０を表示することができる。より具体的には、画像生成部１８０は、撮像部１１０からの撮像情報に含まれる指示棒５０の先端にある発光位置の変化と、プレゼンテーションデータ１３２で示される画像２４０等の位置を比較することにより、指示棒５０の移動内容を把握し、当該移動内容に応じて指示画像２１０を生成することができる。
【００２３】
図７は、第１の実施例における画像２０１の他の一例を示す図である。図６に示す状態で、プレゼンター４０は、指示棒５０の先端を画像２４２に数秒間置いた後、指示棒５０の先端を指示画像２１１に移動させることにより、移動先の指示画像２１１内の位置に画像２４２が拡大された画像２２２を表示することができる。
【００２４】
図８は、第１の実施例における画像２０２の他の一例を示す図である。図７に示す状態で、プレゼンター４０は、指示棒５０の先端を指示画像２１２内の空き領域に数秒間置いてから移動させることにより、指示棒５０の先端の移動軌跡を示す画像２５０を指示画像２１２内に表示することができる。より具体的には、画像生成部１８０は、撮像部１１０からの撮像情報に含まれる指示棒５０の発光位置の変化と、プレゼンテーションデータ１３２で示される画像２２０等の位置を比較することにより、指示棒５０の移動内容を把握し、当該移動内容に応じて指示棒５０の書き込み内容を示す指示画像２５０を生成することができる。
【００２５】
更新部１２０は、画像生成部１８０によって生成される指示画像２１０〜２１２の情報に基づき、プレゼンテーションデータ１３２を更新する（ステップＳ２）。画像生成部１８０は、撮像情報に基づき、再生対象時指定画像の表示開始指示があったかどうかを判定し（ステップＳ３）、再生対象時指定画像の表示開始指示があった場合、再生対象時指定画像を生成し、投写部１９０は、当該再生対象時指定画像を投写する（ステップＳ４）。
【００２６】
図９は、第１の実施例における画像２０３の他の一例を示す図である。例えば、図８に示す状態で、プレゼンター４０は、指示棒５０の先端を、再生対象時指定画像２６０の表示開始指示を行うための画像２３０に数秒間置くことにより、再生対象時指定画像２６０の表示開始指示を行う。再生対象時指定画像２６０は、時間の経過に応じて右方向に長くなる棒状の時間画像（時間領域）２７０と、指示棒５０の指示位置に応じて時間画像２７０上を移動する再生対象時（例えば、表示済みの画像の表示日時、表示時刻、プレゼンテーション開始からの経過時間等）を指定するための画像である逆三角形状の指定画像（指定領域）２８０を含む。画像生成部１８０は、表示開始指示に応じて、再生対象時指定画像２６０を空き領域に示す指示画像２１３を含む画像２０３を生成する。なお、再生対象時指定画像２６０は、指示画像２１３の空き領域に表示されるが、再生対象時の指定に応じて再生される再生対象ではない。
【００２７】
図１０は、第１の実施例における画像２０４の他の一例を示す図である。また、図１１は、第１の実施例における画像２０５の他の一例を示す図である。再生対象時指定画像２６０が表示された状態で、プレゼンター４０は、指示棒５０の先端を、指定画像２８０に数秒間置いてから左に移動させることにより、指示画像２１４の表示を過去の状態に戻すことができる。画像生成部１８０は、撮像情報に基づき、指定画像２８０の移動内容を判定することにより、再生対象時の指定があったかどうかを判定する（ステップＳ５）。再生対象時の指定があった場合、画像生成部１８０は、プレゼンテーションデータ１３２に基づき、過去の再生対象時における画像を生成し、投写部１９０は、当該画像を投写する（ステップＳ６）。
【００２８】
例えば、指示画像が、プレゼンテーションが開始されてから１０秒経過時に図６の指示画像２１０になり、プレゼンテーションが開始されてから２０秒経過時に図７の指示画像２１１になり、プレゼンテーションが開始されてから３０秒経過時に図８の指示画像２１２になったものとする。例えば、図９の指示画像２１３を含む画像２０３が表示された状態で、プレゼンター４０が、指定画像２８０を指示した指示棒５０の先端を、１０秒分左に移動させた場合、画像生成部１８０は、指定画像２８０を１０秒分左に移動させた再生対象時指定画像２６１が指示画像２１４に表示される画像２０４を生成する。また、例えば、図９の指示画像２１３を含む画像２０３が表示された状態で、プレゼンター４０が、指定画像２８０を指示した指示棒５０の先端を、２０秒分左に移動させた場合、画像生成部１８０は、指定画像２８０を２０秒分左に移動させた再生対象時指定画像２６２が指示画像２１５に表示される画像２０５を生成する。
【００２９】
さらに、このような再生対象時の指定があった状態で、プレゼンター４０が新たな指示を行った場合、画像生成部１８０は、当該指示に応じた画像を生成し（ステップＳ１）、更新部１２０は、画像生成部１８０によって生成される指示画像の情報に基づき、プレゼンテーションデータ１３２を更新する（ステップＳ２）。また、再生対象時指定画像２６０〜２６２が表示され、再生対象時を指定する指示があった状態で、プレゼンター４０が新たな指示を行った場合、画像生成部１８０は、プレゼンテーションデータ１３２に基づき、更新部１２０による更新前のプレゼンテーションに対応した第１の時間領域と、更新部１２０による更新後のプレゼンテーションに対応した第２の時間領域を含む再生対象時指定画像を生成する。
【００３０】
図１２は、第１の実施例における画像２０６の他の一例を示す図である。例えば、プレゼンター４０が、指示棒５０を用いて新たな書き込みを行った場合、画像生成部１８０は、書き込み内容を示す画像２５２を含む指示画像２１６を生成し、投写部１９０は、指示画像２１６を含む画像２０６を投写する。また、この場合、画像生成部１８０は、指示画像２１６の空き領域に再生対象時指定画像２６３を生成する。再生対象時指定画像２６３は、更新部１２０による更新前のプレゼンテーションに対応した時間画像（第１の時間領域）２７０と、更新部１２０による更新後のプレゼンテーションに対応した時間画像（第２の時間領域）２７２を含む。また、時間画像２７２は、時間画像２７０の更新時を示す位置から分岐する形で時間画像２７０の上側に配置されており、時間画像２７２の右端には指定画像２８０が配置されている。なお、プレゼンテーションの時間の経過に応じて、時間画像２７２は右方向に大きくなり、指定画像２８０は右方向に移動する。
【００３１】
また、画像生成部１８０は、撮像情報に基づき、再生対象時指定画像２６０〜２６３の表示終了指示があったかどうかを判定し（ステップＳ７）、再生対象時指定画像２６０〜２６３の表示終了指示があった場合、再生対象時指定画像２６０〜２６３の生成を終了し、投写部１９０は、再生対象時指定画像２６０〜２６３の投写を終了する（ステップＳ８）。図１３は、第１の実施例における画像２０７の他の一例を示す図である。例えば、図１２等に示す状態で、プレゼンター４０は、図１３に示すように、指示棒５０の先端を、再生対象時指定画像２６０〜２６３の表示終了指示を行うための画像２３２上に数秒間置くことにより、再生対象時指定画像２６０〜２６３の表示終了指示を行う。
【００３２】
以上のように、本実施例によれば、プロジェクター１００は、時間画像２７０、２７２上を移動する指定画像２８０を用いて再生対象時の指定を受け付けることにより、過去のプレゼンテーションの状況を示す画像をより柔軟に提供することができる。また、本実施例によれば、プロジェクター１００は、再生時間に応じて時間画像２７０、２７２の大きさを変化させることにより、プレゼンター４０は、より簡易に再生対象時を指定することができる。また、本実施例によれば、プロジェクター１００は、時間画像２７０における更新時を示す位置から分岐する形で時間画像２７２を表示することができるため、プレゼンター４０は、容易に更新時を把握することができる。
【００３３】
さらに、本実施例によれば、プロジェクター１００は、指定された再生対象時からの表示済みの画像を表示することができるため、書き込み内容等も含めた過去のプレゼンテーションの状況を示す画像をより柔軟に提供することができる。また、本実施例によれば、プレゼンター４０は、ＰＣ（Personal Computer）やホワイトボード等を用いることなく、指示棒５０だけでプレゼンテーションを行うことができる。
【００３４】
（その他の実施例）
なお、本発明の適用は上述した実施例に限定されず、変形が可能である。例えば、プロジェクター１００は、プレゼンター４０や指示棒５０を含む撮像画像を示すプレゼンテーションデータ１３２を記憶し、当該撮像画像を再生してもよい。また、時間画像（時間領域）の形状は棒状に限定されず、例えば、円形状等であってもよい。時間画像は、時間の経過に応じて形状が変化する画像に限定されず、例えば、時間の経過に応じて色または模様が変化する画像であってもよい。時間画像の形状が変化する方向は右方向に限定されず、左方向、下方向等であってもよい。また、時間画像の個数は、上述した実施例に限定されず、３個以上であってもよい。また、本発明の適用は複数のユーザーによる利用に限定されず、１人のユーザーによる利用であってもよい。具体的には、例えば、時間領域は、個人の１日の予定と予定に対する実際の行動を円形状に示す予定実績画像であってもよく、指定領域は、当該円形の外周を移動する矩形等の画像であってもよい。この場合、例えば、表示装置として機能するＰＣは、画面に問題を示す画像（表示済みの画像）を表示し、ユーザーが複数の選択肢から選択した選択肢を示す情報が指示情報として入力され、指示画像として、当該選択に対して正解かどうかを示す結果画像、得点を示す画像等を表示してもよい。また、当該ＰＣは、ユーザーの指示に応じて指示時点における問題を示す画像と結果画像等を表示してもよい。
【００３５】
また、指示具は、指示棒５０に限定されず、例えば、発光部または反射部（例えば、アルミ箔、鏡等）を有する指示棒、発光機能を有するリモコン（リモートコントローラー）、光ポインター、発光機能を有するマウス、蛍光ペン、マーカー等であってもよい。より具体的には、例えば、通常は反射部が隠れており、ボタンを押している間だけ反射部が露出するペンや指示棒等が用いられる場合、撮像画像には当該反射部による反射光によって高輝度領域が形成されるため、プロジェクター１００は、当該高輝度領域によって指示位置等の指示内容を把握することができる。また、例えば、画像生成部１８０は、投写対象領域における指示具による押圧を検出したり、撮像画像に含まれる指示具の位置を検出したり、レーザーポインターでの指示位置（光が投射された位置）を撮像部１１０によって検出したりすることにより、指示位置を検出してもよい。また、画像生成部１８０は、指示具による指示位置以外にも、例えば、撮像画像に含まれる指の位置等に基づいて指示内容を把握してもよい。
【００３６】
また、サブ画像として表示される画像は上述した画像に限定されず、例えば、文書データ、表計算データ、画像データ等を示す画像であってもよい。例えば、画像生成部１８０は、文書データの縮小画像に対する指示に応じて当該文書データの内容を示す画像を生成してもよい。また、指示画像は、上述した指示画像２１０〜２１７に限定されず、例えば、光の点滅によるクリック指示等に応じて指示の行われた領域とは異なる領域を変化させる画像等であってもよい。また、指示内容を示す指示情報および指示画像を示す情報は撮像情報に限定されない。例えば、指示情報は、クリック、ドラッグ等のマウス等からの操作情報、音声指示が行われる場合の音声を示す音声情報等であってもよい。すなわち、撮像部１１０は必須の構成ではない。また、例えば、指示画像を示す情報は、画像生成部１８０からの指示画像を示す画像情報、キャプチャー部によってキャプチャーされた指示画像を示す画像情報等であってもよい。
【００３７】
また、プロジェクター１００の有するコンピューターは、情報記憶媒体に記憶されたプログラムを読み取って画像生成部１８０等として機能してもよい。このような情報記憶媒体としては、例えば、ＣＤ−ＲＯＭ、ＤＶＤ−ＲＯＭ、ＲＯＭ、ＲＡＭ、ＨＤＤ等を適用できる。
【００３８】
また、表示装置は、プロジェクター１００に限定されず、例えば、液晶モニター、テレビ等であってもよい。また、プロジェクター１００は、単焦点型のプロジェクターに限定されない。また、プロジェクター１００は、液晶プロジェクター（透過型、ＬＣＯＳ等の反射型）に限定されず、例えば、デジタルマイクロミラーデバイスを用いたプロジェクター等であってもよい。また、投写部１９０は、ランプの代わりに有機ＥＬ素子、シリコン発光素子、レーザーダイオード、ＬＥＤ等の固体光源を含む自己発光素子を採用してもよい。また、プロジェクター１００の機能を複数の装置（例えば、ＰＣとプロジェクター等）に分散してもよい。
【符号の説明】
【００３９】
１０  壁、２０、２００〜２０７、２２０、２２２、２３０、２３２、２４０、２４２、２５０  画像、３０  金具、４０  プレゼンター、５０  指示棒（指示具）、１００  プロジェクター、１１０  撮像部、１２０  更新部、１３０  記憶部、１３２  プレゼンテーションデータ（画像データ、表示時データ）、１８０  画像生成部、１９０  投写部、２１０〜２１７  指示画像、２６０〜２６３  再生対象時指定画像、２７０  時間画像（第１の時間領域）、２７２  時間画像（第２の時間領域）、２８０  指定画像（指定領域）、９１０  ＣＰＵ、９２０  ＣＭＯＳカメラ、９３０  ＲＡＭ、９４０  画像処理回路、９８０  ランプ、９８２  液晶パネル、９８４  液晶駆動回路、９８６  レンズ
【図１】
2011242490.tif 000003
【図２】
2011242490.tif 000004
【図３】
2011242490.tif 000005
【図４】
2011242490.tif 000006
【図５】
2011242490.tif 000007
【図６】
2011242490.tif 000008
【図７】
2011242490.tif 000009
【図８】
2011242490.tif 000010
【図９】
2011242490.tif 000011
【図１０】
2011242490.tif 000012
【図１１】
2011242490.tif 000013
【図１２】
2011242490.tif 000014
【図１３】
2011242490.tif 000015